(57)【要約】      （修正有）【課題】調理用器具内に差し水をするための注水口を備える取っ手において、注水口内に滞留する高温の蒸気によって、使用者が火傷等する恐れが無く、部品構成も簡単な取っ手を提供する。【解決手段】一端側に注水口と他端側に把持部１１を備える取っ手本体と、注水口を開閉するように、取っ手本体に開閉自在に取り付けられたカバー部とを備える。把持部１１に、取っ手本体の上面とカバー部の下面との間の空隙に流れる蒸気を規制する蒸気防止部１８が設けられる。【選択図】図５
2015123276.tif 000002
【特許請求の範囲】
【請求項１】
一端側に注水口と他端側に把持部を備える取っ手本体と、
前記注水口を開閉自在に取り付けられたカバー部とを備え、
前記把持部に、前記取っ手本体の上面と前記カバー部の下面との間の空隙に流れる蒸気を規制する蒸気防止部が設けられる調理器具蓋用取っ手。
【請求項２】
前記蒸気防止部は、前記取っ手本体の上面から上方に突出するリブで構成される請求項１に記載の調理器具蓋用取っ手。
【請求項３】
前記カバー部は、前記取っ手本体にスライド自在に取り付けられ、前記カバー部下面に、スライド方向とほぼ直交する方向にリブが形成される請求項１または請求項２に記載の調理器具蓋用取っ手。
【請求項４】
前記注水口を閉じる状態で前記注水口の一部が開口として残され、前記開口によって蒸気口が形成される請求項１乃至３の何れかに記載の調理器具蓋用取っ手。
【請求項５】
前記蒸気口は、前記取っ手本体の注水口を前記把持部と反対方向に切り欠いて構成される請求項４に記載の調理器具蓋用取っ手。
【請求項６】
前記把持部は、前記注水口近傍の下面に指掛かり部を有する請求項１乃至５の何れかに記載の調理器具蓋用取っ手。
【発明の詳細な説明】
【技術分野】
【０００１】
本発明は、鍋やフライパン等調理器具の蓋に用いられる取っ手に関するものである。
【背景技術】
【０００２】
従来から、調理器具の蓋に用いられる取っ手として、蓋を閉じたまま差し水や各種調味料を調理器具本体に注ぎ入れられるよう注水口を設けた取っ手が提案されている。
【先行技術文献】
【特許文献】
【０００３】
【特許文献１】特開２００８−１４８８６３号公報
【特許文献２】特許第３５０４６３６号公報
【０００４】
特許文献１に記載の取っ手は、分割部材を重合することで構成された把持部と、把持部の中央側端部に蓋本体の中央部に形成した注水用通孔と連通する注水口を設け、注水口の開閉を操作するための開閉体を分割された把持部で挟持して構成され、開閉体をスライドして注水口の開閉を操作することができる。
【０００５】
特許文献２に記載の取っ手は、把持部とは別体の筒状の注水口と、注水口を開閉操作するための注水蓋を備え、筒状の側部には通気孔を備えている。
【発明の概要】
【発明が解決しようとする課題】
【０００６】
しかしながら、特許文献１の形態では、把持部を握った手の親指による押し引き動で簡単に開閉操作できるものの、注水口を通る高温の蒸気により開閉体自体が高温となり、使用者にとって火傷等の危険性があった。また、開閉体と把持部の部品間を通る蒸気により把持部自体も高温となり、使用者にとって危険性があった。また、分割部材を重合する構成とするため、把持部を２部品と開閉体１部品で構成する必要があった。
【０００７】
また、特許文献２の形態では、把持部と注水口が別体で設けられているため、把持部が熱を持つ可能性は少ないが、部品点数が多くなるといった問題があった。また、注水口側面に通気孔を備えるが、高温の蒸気は上部開閉蓋に滞留し、開閉蓋が高温となり、使用者にとって危険性があった。
【０００８】
本発明は、このような点に鑑みなされたもので、簡単な構成で注水可能な取っ手を構成し、なおかつ注水口を通る高温の蒸気によって使用者が火傷等をしない安全な取っ手を提供することを目的とする。
【課題を解決するための手段】
【０００９】
本発明の請求項１の発明は、一端側に注水口と他端側に把持部を備える取っ手本体と、  注水口を開閉するように、取っ手本体にスライド自在に取り付けられたカバー部とを備え、
把持部に、取っ手本体の上面とカバー部の下面との間の空隙に流れる蒸気を規制する蒸気防止部が設けられる調理器具蓋用取っ手である。
【００１０】
請求項２の発明は、請求項１に記載の発明において、蒸気防止部は、取っ手本体の上面から上方に突出するリブで構成される。
【００１１】
請求項３の発明は、請求項１または２に記載の発明において、カバー部の下面に、スライド方向とほぼ直交する方向にリブが形成される。
【００１２】
請求項４の発明は、請求項１乃至３の何れかに記載の発明において、注水口を閉じる状態で注水口の一部が開口として残され、開口によって蒸気口が形成される。
【００１３】
請求項５の発明は、請求項４に記載の発明において、蒸気口は、取っ手本体の注水口を把持部と反対方向に切り欠いて構成される。
【００１４】
請求項６の発明は、請求項１乃至５の何れかに記載の発明において、把持部は、注水口近傍の下面に指掛かり部を有する。
【発明の効果】
【００１５】
上述した本発明によれば、注水口を通る高温の蒸気に触れたとしても把持部、カバー部が熱くならず、簡単な構成で注水できる取っ手を構成することができる。
【図面の簡単な説明】
【００１６】
【図１】本発明の一実施形態を示す取っ手の斜視図であり、（ａ）は注水口閉状態の図、（ｂ）は注水口開状態の図である。
【図２】本発明の一実施形態を示す取っ手の部品展開図であり、（ａ）は正面斜視図、（ｂ）は背面斜視図である。
【図３】本発明の一実施形態を示すカバー部の斜視図であり、（ａ）は背面斜視図、（ｂ）は正面斜視図である。
【図４】（ａ）は本発明の一実施形態を示す取っ手の側面図であり、（ｂ）はＡ−Ａ線断面拡大図である。
【図５】本発明の一実施形態を示す取っ手の側面断面図であり、（ａ）は注水口閉状態の図、（ｂ）は注水口開状態の図である。
【図６】本発明の一実施形態を示す取っ手の斜視図であり、（ａ）は平面斜視図、（ｂ）は底面斜視図である。
【図７】本発明の一実施形態を示す取っ手の使用状態を示す斜視図であり、（ａ）は部品展開図、（ｂ）は組図である。
【発明を実施するための最良の形態】
【００１７】
以下、本発明の一実施形態につき、添付図面を参考にして説明する。
図１は、一実施形態に係る調理器蓋用取っ手１を示し、取っ手本体１と、カバー部２の２部材から構成される。
【００１８】
取っ手本体１は、一端側に内部を垂直方向に挿通して形成され、開状態において調理器具内部に注水可能な注水口１０を備え、他端側に使用者が取っ手本体１を持つための把持部１１を備える。
【００１９】
図２、図３、図４に示すように、カバー部２は、取っ手本体１に設けられた注水口１０を開閉するように、取っ手本体に対してスライド自在に設けられる。
【００２０】
カバー部２は、断面逆凹状に形成され、凹部内部に対向する係止爪２１、２１´が設けられる。一方、取っ手本体１には、係止爪２１、２１´に対応する位置に外側に向かって突起１２、１２´が設けられることにより、係合部１３、１３´が設けられる。係止爪２１、２１´が係合部１３、１３´に係止することで、カバー部２と取っ手本体１が嵌合する。また、取っ手本体１に開規制部１４、１４´、閉規制部１５、１５´が設けられており、カバー部２の後端部２２、２２´が開規制部１４、１４´に接するときを注水口開状態、カバー部２の前端部２３、２３´が閉規制部１５、１５´に接するときを注水口閉状態となるよう構成される。
【００２１】
これにより、カバー部２は、取っ手本体１上をスライド可能に構成され、注水口１０の開閉操作を可能にする。
【００２２】
上記開閉構造によれば、カバー部２と取っ手本体１の２部材で構成することができるため、部品点数が極めて少なく構成でき、製造コストを抑えることができる。
【００２３】
また、カバー部２は、上面に突起状の開閉リブ２４が設けられており、使用者がカバー２を開閉操作する際に親指を開閉リブ２４に掛けて操作することができる。
【００２４】
図５に示すように、取っ手本体１およびカバー部２は、注水口閉状態において、注水口１０内に滞留する高温の蒸気を逃がすための蒸気口１６を形成するよう構成される。
【００２５】
蒸気口１６は、カバー部２の下辺を円弧状に切り欠いて形成されたカバー側切欠き部２５と、取っ手本体１の注水口１０を把持部側と反対方向に切り欠いて形成された取っ手本体側切欠き部１７によって構成される。
【００２６】
これにより、カバー部閉状態において、注水口１０の開口が完全に閉まることが無く、開口の一部が残り、一定量蒸気を逃がすことができる蒸気口１６が形成される。
【００２７】
蒸気口１６を設けることにより、高温の蒸気が注水口１０内に滞留しても、蒸気口１０から優先的に蒸気が逃げていくため、カバー部２近傍に高温の蒸気が滞留することによってカバー部２や開閉リブ２４が高熱になることを防止できる。
【００２８】
また、カバー側切欠き部２５はカバー部下辺を切り欠いて形成し、取っ手本体側切欠き部１７は注水口１０を把持部側と反対方向に切り欠いて形成したため、そのようにして形成された蒸気口１６は取っ手前方側に形成される。
【００２９】
これにより、蒸気口１６から逃げる高温の蒸気が把持部１１を持つ使用者側に向かって流れることが規制され、使用者が熱を感じることを防止できる。
【００３０】
また、この構成によれば、別途蒸気口を設ける必要が無い。
【００３１】
本実施形態においては、カバー側切欠き部２５と取っ手本体側切欠き部１７によって蒸気口１６を形成したが、どちらか一方の切欠きによって蒸気口１６を形成しても良い。
【００３２】
なお、本実施形態のように取っ手本体１の注水口１０を把持部側と反対方向に切り欠いて蒸気口１６を形成すると、カバー部開状態において垂直方向に形成した場合の注水口開口面積Ｌ１と、蒸気口１６の開口面積Ｌ２との両者によって注水口１０の開口を形成することができる。
【００３３】
これにより、開口面積を広く設けることができ、差し水や、各種調味料を調理器具内に入れる際の入れやすさが向上する。
【００３４】
また、図３および図５に示すように、カバー部２の下面には、カバー部２のスライド方向と直交する方向に延びる２本のリブ２６が形成され、把持部１１上面には、上方に突出するリブで構成される蒸気防止部１８が設けられる。注水口開状態においては、カバー部２の後端部が蒸気防止部１８の基部と当接するようになされている。
【００３５】
蒸気防止部１８は、スライド方向と直交する方向に渡って長さを有するよう構成され、また、把持部と注水口の間に位置するよう設けられることが望ましい。
【００３６】
これにより、蒸気口１６から排出されなかった高温の蒸気がカバー部２と取っ手本体１の上面とカバー部２の下面間の空隙を抜けて把持部１１および使用者側に流れることを防止することができ、把持部１１が熱くならず、使用者が熱を感じることを防止できる。また、使用者がカバー部２を開く際、開閉リブ２４と、蒸気防止部１８を手掛かりとして摘んで開けることができる。
【００３７】
また、図６に示すように、取っ手本体１は、把持部下面の注水口近傍に突起状の指掛かり部１９が設けられる。
【００３８】
これにより、高温の蒸気の流れる注水口近傍に使用者の指が触れることを防止できる。
【００３９】
次に、取っ手本体１を組み付ける様子について説明する。
【００４０】
図７に示すように、中央に挿通口３１を備えた蓋体３に取っ手本体１に形成されたねじ切り部Ｂを挿通し、ナットＮと螺合させて固定し、調理器具用蓋を構成する。
【００４１】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【００４２】
１                        取っ手本体
１０                      注水口
１１                      把持部
１２                      突起
１３                      係合部
１４                      開規制部
１５                      閉規制部
１６                      蒸気口
１７                      取っ手本体側切欠き部
１８                      蒸気防止部
１９                      指掛かり部
２                        カバー部
２１                      係止爪
２２                      後端部
２３                      前端部
２４                      開閉リブ
２５                      カバー側切欠き部
３                        蓋体
３１                      挿通口
Ｂ                        ねじ切り部
Ｎ                        ナット
【図１】
2015123276.tif 000003
【図２】
2015123276.tif 000004
【図３】
2015123276.tif 000005
【図４】
2015123276.tif 000006
【図５】
2015123276.tif 000007
【図６】
2015123276.tif 000008
【図７】
2015123276.tif 000009